(57)【要約】      （修正有）【課題】直ちにまた容易にそのテーブルマットの発注に応じられるようなテーブルマットの受注ならびに作成方法を提供する。【解決手段】テーブルマットを載置すべきテーブル類の天板部２に複数のマーキング３を施し、天板部２をそれぞれマーキング部がラップするようにデジタル方式カメラ４で撮影する手段と、その複数画像データをコンピュータに取り込む手段と、複数画像データを別のコンピュータに送信する手段と、送信された複数画像データをコンピュータディスプレイに表示してマーキング３を互いに重ね合わせる手段と、これらの画像データをもとに天板部２のＣＡＤ立体図を作成する手段と、ＣＡＤ立体図を天板上面におけるＣＡＤ平面図に変換する手段と、ＣＡＤ平面図をテーブルマットの輪郭を表すＣＡＭデータに移行させる手段と、ＣＡＭデータをもとにテーブルマット用ベースシートをＣＡＭでカッティングする手段をもって行う。【選択図】図２
2005158006.tif 000002
【特許請求の範囲】
【請求項１】
テーブルマット１を載置すべきテーブル類の天板部２に複数のマーキング３を互いに十分な間隔を隔てて施し、その斜め上方複数位置より該天板部２をそれぞれマーキング部がラップするようにデジタル方式カメラ４で撮影する手段と、その複数画像データをコンピュータ５に取り込む手段と、取り込まれた複数画像データをコンピュータディスプレイ５Ａに表示して該マーキング３を互いに重ね合わせる手段と、これらの画像データをもとにその立体図形を解析する画像処理ソフトウェアを用いて該天板部２のＣＡＤ立体図を作成する手段と、該ＣＡＤ立体図を天板上面におけるＣＡＤ平面図に変換する手段と、該ＣＡＤ平面図をテーブルマット１の輪郭を表すＣＡＭデータに移行させる手段と、該ＣＡＭデータをもとにテーブルマット用ベースシート６をＣＡＭ７でカッティングする手段を具備することを特徴とするテーブルマットの作成方法。
【請求項２】
テーブルマット１を載置すべきテーブル類の天板部２に複数のマーキング３を互いに十分な間隔を隔てて施し、その斜め上方複数位置より該天板部２をそれぞれマーキング部がラップするようにデジタル方式カメラ４で撮影する手段と、その複数画像データをコンピュータ５に取り込む手段と、取り込まれた複数画像データを別のコンピュータ５０に送信する手段と、送信された複数画像データをコンピュータディスプレイ５Ａに表示して該マーキング３を互いに重ね合わせる手段と、これらの画像データをもとにその立体図形を解析する画像処理ソフトウェアを用いて該天板部２のＣＡＤ立体図を作成する手段と、該ＣＡＤ立体図を天板上面におけるＣＡＤ平面図に変換する手段と、該ＣＡＤ平面図をテーブルマット１の輪郭を表すＣＡＭデータに移行させる手段と、該ＣＡＭデータをもとにテーブルマット用ベースシート６をＣＡＭ７でカッティングする手段を具備することを特徴とするテーブルマットの作成方法。
【発明の詳細な説明】
【技術分野】
【０００１】  この発明は、様々な形態のテーブルや机類の上面に敷くテーブルマットやデスクマット（本願ではこれらをテーブルマットと総称する）の受注に対処するためのテーブルマットの作成方法に関する。
【背景技術】
【０００２】  事務用机やテーブルなどの上にはよく透明な厚手の軟質塩ビシートなどからなるデスクマットないしテーブルマットが敷かれていることは周知の通りである。その寸法や形状は千差万別であるため、所定の長方形の規格品以外は、いずれも現物の机やテーブルの天板をその都度計測し、それに基づいてベースシートを裁断する必要がある。【０００３】  その計測は、長方形や円形など単純幾何学的図形の場合は比較的容易かつ正確に行えるものの、輪郭が不定形である場合等は、周辺を紙などになぞるか真上から写真撮影するしかない。現状では原寸の型紙を使用する方法がとられている。
【発明の開示】
【発明が解決しようとする課題】
【０００４】  ところがこれらのテーブルなどは実際にはかなり大型なものであり、置かれている場所の制約もあって、なぞる紙も一枚では無理で作業中に変形し、真上から撮影するにしても、限られた高さからでは周辺位置に向けてそれぞれ角度の異なる斜め撮影となってしまうから、得られた輪郭データもいきおい不正確なものとなり、これをもとにテーブルマットを裁断しても修正を余儀なくされ、甚だ無駄が多く手間や時間のかかるものであった。【０００５】  また発注−受注システムにおいてもいちいち用紙を送り説明を要するなど、物流上、甚だ手間取るという問題点があった。【０００６】  本発明はかかる問題点を解決して、いかなる大きさや複雑な形状の天板をもつテーブル類であっても、またその現物がどんな遠隔地にあっても、直ちにかつ容易にそのテーブルマットの発注に応じられるようなテーブルマットの受注ならびに作成方法を提供することを課題とする。
【課題を解決するための手段】
【０００７】  テーブルマット１を載置すべきテーブル類の天板部２に複数のマーキング３を互いに十分な間隔を隔てて施し、その斜め上方複数位置より該天板部２をそれぞれマーキング部がラップするようにデジタル方式カメラ４で撮影する手段と、その複数画像データをコンピュータ５に取り込む手段と、取り込まれた複数画像データをコンピュータディスプレイ５Ａに表示して該マーキング３を互いに重ね合わせる手段と、これらの画像データをもとにその立体図形を解析する画像処理ソフトウェアを用いて該天板部２のＣＡＤ立体図を作成する手段と、該ＣＡＤ立体図を天板上面におけるＣＡＤ平面図に変換する手段と、該ＣＡＤ平面図をテーブルマット１の輪郭を表すＣＡＭデータに移行させる手段と、該ＣＡＭデータをもとにテーブルマット用ベースシート６をＣＡＭ７でカッティングする手段を具備することをもって、本発明のテーブルマットの作成方法とする。【０００８】  なお一般にテーブル類の現物が遠隔地にある場合は次のような方法をとる。すなわち、テーブルマット１を載置すべきテーブル類の天板部２に複数のマーキング３を互いに十分な間隔を隔てて施し、その斜め上方複数位置より該天板部２をそれぞれマーキング部がラップするようにデジタル方式カメラ４で撮影する手段と、その複数画像データをコンピュータ５に取り込む手段と、取り込まれた複数画像データを別のコンピュータ５０に（インターネット）送信する手段と、送信された複数画像データをコンピュータディスプレイ５Ａに表示して該マーキング３を互いに重ね合わせる手段と、これらの画像データをもとにその立体図形を解析する画像処理ソフトウェアを用いて該天板部２のＣＡＤ立体図を作成する手段と、該ＣＡＤ立体図を天板上面におけるＣＡＤ平面図に変換する手段と、該ＣＡＤ平面図をテーブルマット１の輪郭を表すＣＡＭデータに移行させる手段と、該ＣＡＭデータをもとにテーブルマット用ベースシート６をＣＡＭ７でカッティングする手段をもって行う。【０００９】  ここで使用されるデジタル方式カメラ４は、いわゆるデジタルカメラと称して市販されているものに限らず、カメラ機能をもつ携帯電話やパソコンなど撮像結果がデジタルデータとして保持されるもの全てを指すことは勿論である。【００１０】  撮影する位置は天板の斜め上方で特に限定しないものの、複数のマーキング３が十分に認識できる撮影画像が得られる位置を選ぶべきであり、またできるだけ正確な立体像を得るためにはできるだけ多くの位置から、また互いに十分離して撮影することが望ましいが、比較的単純な形態のものでは、互いに対照位置にある二ヶ所からの撮影で事実上十分である。
【発明の効果】
【００１１】  本発明はこのような構成であるから、様々な不定形かつ大型のテーブル類に対応してテーブルマットを作成するにあたり、その寸法及び形状の正確な把握が現場の限られた空間内での撮影をもとに甚だ容易にできると同時に、これを直ちにＣＡＭ使用が可能なものにできるから、その制作が甚だ容易かつスピーディーとなり、また特に遠隔地相手に対しその発注−受注システムが著しく高効率化するなど多大な効果がある。
【発明を実施するための最良の形態】
【００１２】  既に述べたように、この発明においてはテーブルマットを載置するテーブルの天板部を斜め上方から複数回、デジタル方式カメラで撮影する必要があるが、その基本は天板の立体形状の情報を獲得することにあるから、４５°前後の斜め上方角度よりそれぞれ反対位置もしくは均等間隔を保つような位置からの最少撮影枚数内に収めるようにすることが好ましい。【００１３】  その他、使用する機器やソフト等は、高度なものを使うほど仕上がりが精細になることは言うまでもないが、実際にはごく普通に使われている２００万画素程度のデジタルカメラ、インターネット接続のパソコン、市販の３Ｄ画像変換ソフト、及びＣＡＭを用いて十分な成果をあげることができる。
【実施例】
【００１４】  テーブルマット１を載置すべきテーブル類の天板部２に複数のマーキング３を施すにあたり、例えば剥離容易なカラー粘着テープのように明瞭に識別できるもので行う。その斜め上方約４５°前後で、テーブルの大きさにもよるが約１〜２ｍの位置から、複数のマーキング部がラップするように通常のデジタルカメラで撮影し、更に別の位置から同じ要領で撮影する。原則としてテーブル類天板部２のこぐち部が全て撮影されるまでこれを繰り返すが、最少の枚数で済ませるために、できるだけ２点ないし３点均等間隔位置を選ぶようにする（図１、図２）。【００１３】  こうして得られた複数のデジタル画像データをパソコンに取り込みディスプレイで確認し、これを受注者側のパソコンにインターネットで送信する（図３）。【００１４】  これを受信した受注者側のパソコンにおいてその複数の画像データをディスプＭｏｄｅｌｅｒ：三次元メディアＫ．Ｋ製）を用いて天板部２のＣＡＤ立体図を作成する（図５）。【００１５】  上記ＣＡＤ立体図を構成する天板画像データを同既成ソフトで二次元ＣＡＤ図面に変換し（図６）、これを発注者のテーブルマットの輪郭を表すＣＡＭデータに移行させて、ＣＡＭを用いポリオレフィン系或いは塩ビ等のテーブルマット（デスクマット）用ベースシート６をＣＡＭ７でカッティングする（図７）。
【産業上の利用可能性】
【００１６】  本発明によるテーブルマットの作成方法は、最近普及が目覚ましいデジタルカメラやカメラ付き携帯電話機、パソコンによるインターネット通信、及びＣＡＭ使用による裁断加工方式等を組み合わせることで直ちに実現できるものであり、また採算性などにおいてメリットも大きく、産業上の利用可能性は甚大である。
【図面の簡単な説明】
【００１５】
【図１】テーブル天板にマーキングを施した状態を示す平面図
【図２】テーブル天板を撮影する状態を示す見取図
【図３】発注一受注送信プロセスを示す説明図
【図４】複数画像のマーキング部を重ねた画像の説明図
【図５】画像処理ソフトで得られる立体画像例
【図６】天板の立体図データから得られた天板平面図画像例
【図７】ベースシートのカッティング工程を示す見取図
【符号の説明】
【００１６】  １……テーブルマット        ２……天板部        ３……マーキング
４……デジタル方式カメラ  ５……コンピュータ  ５０……別のコンピュータ
５Ａ……コンピュータディスプレイ    ６……ベースシート    ７……ＣＡＭ
【図１】
2005158006.tif 000003
【図２】
2005158006.tif 000004
【図３】
2005158006.tif 000005
【図４】
2005158006.tif 000006
【図５】
2005158006.tif 000007
【図６】
2005158006.tif 000008
【図７】
2005158006.tif 000009